(57)【特許請求の範囲】
【請求項１】
外側の壁部材及び内側の壁部材（２０及び２１）より形成された、熱交換器として使用される２重壁状の壁を備えた配電盤キャビネットであって、内側の壁部材（２１）が、上側及び下側の領域で、送風機を接続するための貫通孔を備えている形式のものにおいて、
送風機の入口側及び出口側のための、互いに平行に延びる固定フランジ（３１，３２）を備えた送風機ユニット（３０）が用いられており、
吸込み形送風機として駆動される送風機が出口側固定フランジ（３３）で、中間ケーシング（４０）の入口側固定面（４１）に接続されていて、この入口側固定面（４１）が、中間ケーシング（４０）の出口側固定面（４９）に対して鋭角を成しており、吸込み形送風機が内側の壁部材（２１）の上側に設けられた貫通孔（２２）に接続されていて、配電盤キャビネット内室から吸込み形送風機によって吸い込まれた空気流が、熱交換器内で外側の壁部材（２０）にぶつかる際に、上方から下方に向けられた分力を有するようになっているか、
又は吹出し形送風機として駆動される送風機が入口側固定フランジ（３１）で、中間ケーシング（４０）の入口側固定面（４１）に接続されていて、この入口側固定面（４１）が中間ケーシング（４０）の出口側固定面（４９）に対して鋭角を成しており、吹出し形送風機が内側の壁部材（２１）の下側領域で貫通孔（２２）に接続されていて、供給された空気流が熱交換器内で上方から下方に向けられた分力を有していることを特徴とする、配電盤キャビネットの壁部材に取り付けるための送風機。
【請求項２】
送風機ケーシングの固定フランジ（３１，３２）が方形又は正方形に構成されており、送風機ケーシングの固定フランジ（３１，３２）の固定受容部（３３，３４）と中間ケーシング（４０）の入口側固定面（４１）の固定受容部（４７）とが、互いに合致している、請求項１記載の送風機。
【請求項３】
中間ケーシング（４０）の出口側固定面（４９）が、固定ねじ（５０）のための固定用孔（４８）を備えていて、これらの固定用孔が壁部材（２１）の間隙（２２）の領域のねじ受容部（２３）内にねじ込み可能である、請求項１又は２記載の送風機。
【請求項４】
侵入開口（４２）を備えた入口側固定面と出口開口（４５）を備えた出口側固定面（４９）とが壁部分（４３，４４，４６）によって閉鎖されている、請求項１から３までのいずれか１項記載の送風機。
【請求項５】
フィルタ送風機として構成されている、請求項１から４までのいずれか１項記載の送風機。
【発明の詳細な説明】
【０００１】
本発明は、換気用貫通孔を備えた配電盤キャビネットの壁部材に取り付けるための、入口側固定面及び出口側固定面を備えた送風機（ファン）であって、送風機ユニットが入口側及び出口側で、互いに平行に整列された同じ形状の固定フランジを有していて、該送風機ユニットと補助ケーシングとから構成されている形式のものに関する。
【０００２】
このような形式の送風機は、配電盤キャビネット内部から熱い空気を吸込んで、この熱い空気を冷却してから配電盤キャビネットに再び戻し案内するようになっている。このような送風機においては、壁部材が有利には２重壁状に構成されていて、熱交換器として働く。内側の壁部材だけが、１つ又は多数の送風機を組み付けるための複数の貫通孔を備えている。この場合、冷却された空気は、この冷却された空気のための侵入開口としての、送風機によって覆われていない貫通孔を介して通過するようになっている。空気の装入を最適にするために、送風機は有利には壁部材の上側の領域に組み付けられる。
このような形式のものは、一般的には国際公開第９６／４１５１１号明細書により公知であり、また” Ｐａｔｅｎｔ Ａｂｓｔｒａｃｔｓ ｏｆ Ｊａｐａｎ， Ｂａｎｄ １８， Ｎｒ． ４８０（Ｅ−１６０３）， ８．９．９４ ”「英文抄録第１８巻、第４８０号（Ｅ−１６０３）１９９４年９月８日」及び、特開平０６１６４１７５号公報（Ｒｉｃｏｈ Ｃｏ． Ｌｔｄ．）より公知であり、またアメリカ合衆国特許第４６４８００７号明細書に開示されており、さらに、国際公開第８８／０１１２７号明細書に開示されている。
【０００３】
冷却の効率は、熱交換器の２つの壁部材の間隔を非常に小さく維持する必要があることによって、不都合な影響を受ける。吸い込まれた空気流は、外側の部材に衝突し、これによって渦流が形成され、従ってせき止めが生じる。
【０００４】
そこで本発明の課題は、冒頭に述べた形式の送風機を改良して、吸い込まれた空気の流れが改善され、それによって熱交換器の通過を簡単な形式で最適なものにし、それによって効率を高めることである。
【０００５】
この課題は、送風機の入口側及び出口側のための、互いに平行に延びる固定フランジを備えた送風機ユニットが用いられており、吸込み形送風機として駆動される送風機が出口側固定フランジで、中間ケーシングの入口側固定面に接続されていて、この入口側固定面が、中間ケーシングの出口側固定面に対して鋭角を成しており、吸込み形送風機が内側の壁部材の上側に設けられた貫通孔に接続されていて、配電盤キャビネット内室から吸込み形送風機によって吸い込まれた空気流が、熱交換器内で外側の壁部材にぶつかる際に、上方から下方に向けられた分力を有するようになっているか、又は吹出し形送風機として駆動される送風機が入口側固定フランジで、中間ケーシングの入口側固定面に接続されていて、この入口側固定面が中間ケーシングの出口側固定面に対して鋭角を成しており、吹出し形送風機が内側の壁部材の下側領域で貫通孔に接続されていて、供給された空気流が熱交換器内で上方から下方に向けられた分力を有している、ことによって解決された。
【０００６】
互いに傾斜した固定面によって、送風機は熱交換器に結合され、空気が配電盤キャビネット内部の上側領域から吸い込まれ、熱交換器に供給される空気流が既に、低い位置に存在する侵入開口に向けられた運動分力を有し、それによって熱交換器の外側の壁部材に対する衝突が著しく減少されるようになっている。
【０００７】
固定面の傾斜は、本発明の実施態様によれば、送風機ケーシングが２つのケーシング部分から構成されており、これらのケーシング部分が同じ固定フランジで終わっていて、これらの固定フランジが互いに鋭角を成して配置されていて、入口側固定面と出口側固定面とを規定していることによって、得られる。
【０００８】
本発明の別の実施態様に従って、送風機ケーシングの入口側と出口側とが同一に構成されていて、互いに平行に向けられた固定フランジを有しており、一方の固定フランジが、入口側固定面及び出口側固定面を固定していて、他方の固定フランジが中間ケーシングの入口側固定面と結合されているか又は結合可能であり、中間ケーシングが出口側固定面を有していて、この出口側固定面が前記入口側固定面に対して鋭角を成して配置されていて壁部材と結合可能であることによって、市販の送風機を挿入することが可能である。
【０００９】
いずれの場合も、送風機は入口側及び出口側で交換して組み付けることができるので、吸込み用送風機又は圧縮用送風機として駆動することができる。
【００１０】
また、送風機ケーシングの固定フランジが方形又は正方形に構成されており、送風機ケーシングの固定フランジの固定受容部と中間ケーシングの入口側固定面の固定受容部とが、互いに合致していることによって、送風機の選択的な挿入が簡略化される。
【００１１】
中間ケーシングと壁部材とを結合するために、中間ケーシングの出口側固定面が、壁部材のねじ受容部内にねじ込まれる固定ねじのための固定用孔を備えている。
【００１２】
中間ケーシングは、侵入開口を備えた入口側固定面と出口開口を備えた出口側固定面との間で壁部分によって閉鎖されている。送風機は有利にはフィルタ付き送風機として構成されている。
【００１３】
以下に、図面に示した実施例を用いて本発明の詳しく説明する。
【００１４】
図１は、熱交換器として用いられる２重壁状の壁部材と、この壁部材に取り付けられた本発明による送風機とを備えた配電盤キャビネットの部分図である。
【００１５】
図２は、中間ケーシングに結合可能である、互いに平行に延びる固定フランジを備えた市販の直方体状の送風機を示す図であって、その固定面は互いに鋭角を成して位置している。
【００１６】
図１に示した部分図は、配電盤キャビネットの枠組み１０の垂直な脚辺部１１を示しており、この脚辺部１１の上側に、水平な脚辺部１２及び１３が取り付けられ、また下側に水平な脚辺部１４及び１５が取り付けられている。枠組み１０の一方側は、内側の壁部材２１と外側の壁部材２０とから成る２重壁によって閉鎖されている。内側の壁部材２１は正方形の貫通孔２２を有しており、この貫通孔２２は、２つの壁部材２０と２１との間の中間室を介して互いに結合されている。図示の実施例では、貫通孔２２は一対形式で、内側の壁部材２１の上側の領域と、中央の領域と、下側の領域とに取り付けられている。２つの壁部材２０と２１との間の中間室は、複数の貫通孔を垂直方向で互いに接続する空気通路に分割されていてもよい。この構成では、２重壁状の壁は熱交換器として働き、配電盤キャビネットから吸い込まれた熱い空気が外部空気によって冷却された外側の壁部材に接触すると、冷却されて、送風機によって閉じられていない貫通孔２２を介して再び配電盤キャビネット内室内に達する。内側の壁部材２１は、多数の部分壁部材より組み立てられていてもよい。
【００１７】
送風機は、入口側固定面と出口側固定面とが互いに鋭角を成すように構成されている。従って、図１に示したように固定された送風機は空気を斜め上方から、つまり配電盤キャビネットのカバー金属薄板の下側の最も熱い箇所から吸込む。吸い込まれた空気流は、斜め下方に傾けられて、下方に向けられた分力（Ｋｏｍｐｏｎｅｎｔ）で外側の壁部材２０にぶつかる。従って、外側の壁部材２０にぶつかることによって、顕著な渦形成は行われず、またせき止めを生じないので、吸い込まれた空気流の流れに関連して著しく良好な形状が熱交換器を介して得られる。これによって熱交換器の著しく改善された効率が得られる。
【００１８】
入口側固定面と出口側固定面との間の鋭角の角度を傾けるために、多くの可能性がある。送風機ケーシングは２つの部分に分割されており、これらのケーシング部分は、これらのケーシング部分に接続された固定フランジと組み立てられた状態で、互いに鋭角を成して位置している。この場合、送風機ユニットは２つの方向で送風機ケーシング内に組み込まれるので、送風機は吸込み形送風機（Ｓａｕｇ−ｌｕｅｆｔｅｒ）又は吹出し形送風機（Ｄｒｕｃｋ−Ｌｕｅｆｔｅｒ）として構成することができる。
【００１９】
市販の直方体状の送風機ユニット３０を用いた送風機の有利な構成は図２に示されている。これらの送風機ユニット３０は、互いに平行に延びる固定面３５及び３６を規定する固定フランジ３１及び３２で終わっている。２つの固定フランジ３１及び３２は同一形状であって、有利には正方形に構成されていて、同じ配置で固定受容部３３及び３４を有している。送風機を壁に斜めに取り付けることができるようにするために、送風機ユニット３０は中間ケーシング４０に結合されており、この場合、固定フランジ３１又は固定フランジ３２のいずれかを中間ケーシング４０の入口側面４１に結合するための可能性が得られる。従って入口側固定面４１の領域には、送風機ユニット３０の固定受容部３３若しくは３４に合致する固定受容部４７が設けられている。中間ケーシング４０の入口側固定面４１は中央の入口４２を有している。中間ケーシング４０の出口側で、フレーム部分を備えた壁部４３，４４，４６は、出口側固定面４９を形成しており、この出口側固定面４９は、入口側固定面４１に対して鋭角を成して位置している。壁部４３，４４，４６は、出口側固定面４９内のフレーム部分と共に、出口開口４５を開放している。ねじ５１によって、送風機ユニット３０は中間ケーシング４０に固定される。
【００２０】
送風機ユニット３０と中間ケーシング４０とから組み立てられた送風機は、固定ねじ５０で内側の壁部部材２１に固定される。固定ねじ５０は、中間ケーシング４０のフレーム部分の固定用孔４８を通ってガイドされ、内側の壁部部材２１のねじ受容部２３内にねじ込まれる。このねじ受容部２３は貫通孔２２の領域内に配置されている。
【００２１】
図１に示したように取り付けられた送風機は、吸込み形送風機として使用される。送風機が吹出し形送風機として構成されている場合は、送風機は１８０゜回転させられて、下側の貫通孔２２の領域内に下方に向かって斜めに取り付けられる。この場合、空気は熱交換器を介して吸い込まれ、最も低い位置で冷却されて配電盤キャビネット内室内に導入される。
【図面の簡単な説明】
【図１】熱交換器として用いられる２重壁状の壁部材と、この壁部材に取り付けられた本発明による送風機とを備えた配電盤キャビネットの部分図である。
【図２】中間ケーシングに結合可能である、互いに平行に延びる固定フランジを備えた市販の直方体状の送風機を示す図である。
【図１】
0003610009.tif 000002
【図２】
0003610009.tif 000003